(57)【特許請求の範囲】
【請求項１】
ベースバンド信号にもとづいて変調波あるいは無変調波を出力する変調器において、上記ベースバンド信号の交流レベルを調整する交流レベル調整器と、制御入力に応じて上記ベースバンド信号の直流オフセットレベルを調整する直流オフセット調整器と、上記ベースバンド信号の交流レベルを監視し、交流レベルが所定値を超えた時は、上記変調器から変調波が出力されている状態と判断し、交流レベルが所定値に達しない時は、上記変調器が無変調状態であると判断して判断結果に応じた信号を生ずる交流レベル監視器と、上記べースバンド信号の直流オフセットレベルを監視すると共に、上記交流レベル監視器からの信号を受け、上記交流レベル監視器による変調波出力状態の判断時に、その時点における直流オフセットレベルを、上記交流レベル監視器による無変調状態の判断時に、直前の変調波出力状態における直流オフセットレベルをそれぞれ上記直流オフセット調整器に対する制御信号として帰還する直流レベル監視器とを備えたことを特徴とする変調器のべースバンド信号処理装置。
【請求項２】
交流レベル調整器は、所定の利得を持つ増幅器であることを特徴とする請求項１記載のベースバンド信号処理装置。
【請求項３】
ベースバンド信号にもとづいて変調波あるいは無変調波を出力する変調器において、制御入力に応じて上記ベースバンド信号の交流レベルを調整する交流レベル調整器と、上記ベースバンド信号の直流オフセットレベルを調整する直流オフセット調整器と、上記ベースバンド信号の交流レベルを監視し、交流レベルが所定値を超えた時は、上記変調器から変調波が出力されている状態と判断し、その時点における交流レベルを、上記交流レベルが所定値に達しない時は、上記変調器が無変調状態であると判断し、直前の変調波出力状態における交流レベルをそれぞれ上記交流レベル調整器に対する制御信号として帰還する交流レベル監視器とを備えたことを特徴とする変調器のべースバンド信号処理装置。
【請求項４】
直流オフセット調整器は、所定のオフセット量を抑制するようにされていることを特徴とする請求項３記載の変調器のベースバンド信号処理装置。
【請求項５】
交流レベル調整器は、制御入力に応じてベースバンド信号の交流レベルを調整し得るようにされると共に、交流レベル監視器による変調波出力状態の判断時に、その時点における交流レベルが交流レベル監視器から制御信号として帰還されることを特徴とする請求項１記載の変調器のベースバンド信号処理装置。
【発明の詳細な説明】
【０００１】
【発明の属する技術分野】
この発明は変調器におけるベースバンド信号処理装置、特に無変調状態における直流レベルを損なうことなく、直流オフセットレベル及び交流レベルを自動的に調整するベースバンド信号処理装置に関するものである。
【０００２】
【従来の技術】
図４は、従来の変調器におけるベースバンド信号処理装置の構成を示すブロック図で、帯域制限されたＩチャンネル及びＱチャンネルの２系列のベースバンド信号を処理するものである。この図において、１は各系列に設けられた交流（ＡＣ）レベル調整器で、適度な振幅に調整するものである。
２は各系列においてＡＣレベル調整器と直列的に接続された直流（ＤＣ）オフセット調整器で、ＤＣオフセットを除去するためのものである。
３は変調器で、ベースバンド信号にもとづいて変調波あるいは無変調波を出力するものである。無変調波を出力する必要のない場合には、ベースバンド信号処理装置におけるＤＣオフセットレベルの調整は、ベースバンド信号ラインに直列にコンデンサを配置することでＤＣオフセットを完全に除去すればよいが、変調器３が無変調波を出力する必要がある場合には、ベースバンド信号のＤＣ成分を完全に遮断することはできないので、ＤＣオフセット調整器２は、減算器によりＤＣオフセットを減ずる方法を採用している。
【０００３】
【発明が解決しようとする課題】
従来の変調器のベースバンド信号処理装置は、上述のように、ＤＣオフセット調整器に減算器を採用しているため、ＤＣオフセットの量は減算器を構成する部品の固体差や電源電圧の変動などにより、ばらつくので、より精度よくＤＣオフセット量を制御するためには、高精度の部品を使用する必要があった。
また、可変抵抗器などを手動調整することで個々のばらつきに対応したオフセット量抑制を行なう必要があった。
【０００４】
この発明は、上記のような問題点を解消するためになされたもので、高精度の部品を使用することなく、高精度なＤＣオフセット抑制を行なうことができるベースバンド信号処理装置を得ることを第１の目的とする。
【０００５】
また、ＤＣオフセット抑制に加えて、ベースバンド信号のＡＣレベルの振幅を監視することにより、自動的にＡＣレベルを調整することのできるベースバンド信号処理装置を得ることを第２の目的とする。
【０００６】
【課題を解決するための手段】
この発明に係るべースバンド信号処理装置は、ベースバンド信号にもとづいて変調波あるいは無変調波を出力する変調器において、上記ベースバンド信号の交流レベルを調整する交流レベル調整器と、制御入力に応じて上記ベースバンド信号の直流オフセットレベルを調整する直流オフセット調整器と、上記ベースバンド信号の交流レベルを監視し、交流レベルが所定値を超えた時は、上記変調器から変調波が出力されている状態と判断し、交流レベルが所定値に達しない時は、上記変調器が無変調状態であると判断して判断結果に応じた信号を生ずる交流レベル監視器と、上記べースバンド信号の直流オフセットレベルを監視すると共に、上記交流レベル監視器からの信号を受け、上記交流レベル監視器による変調波出力状態の判断時に、その時点における直流オフセットレベルを、上記交流レベル監視器による無変調状態の判断時に、直前の変調波出力状態における直流オフセットレベルをそれぞれ上記直流オフセット調整器に対する制御信号として帰還する直流レベル監視器とを備えたものである。
【０００７】
この発明に係るべースバンド信号処理装置は、また、交流レベル調整器が、所定の利得を持つ増幅器で構成されているものである。
【０００８】
この発明に係るべースバンド信号処理装置は、また、ベースバンド信号にもとづいて変調波あるいは無変調波を出力する変調器において、制御入力に応じて上記ベースバンド信号の交流レベルを調整する交流レベル調整器と、上記ベースバンド信号の直流オフセットレベルを調整する直流オフセット調整器と、上記ベースバンド信号の交流レベルを監視し、交流レベルが所定値を超えた時は、上記変調器から変調波が出力されている状態と判断し、その時点における交流レベルを、上記交流レベルが所定値に達しない時は、上記変調器が無変調状態であると判断し、直前の変調波出力状態における交流レベルをそれぞれ上記交流レベル調整器に対する制御信号として帰還する交流レベル監視器とを備えたものである。
【０００９】
この発明に係るべースバンド信号処理装置は、また、直流オフセット調整器が、所定のオフセット量を抑制するようにされているものである。
【００１０】
この発明に係るべースバンド信号処理装置は、また、交流レベル調整器が、制御入力に応じてベースバンド信号の交流レベルを調整し得るようにされると共に、交流レベル監視器による変調波出力状態の判断時に、その時点における交流レベルが交流レベル監視器から制御信号として帰還されるものである。
【００１１】
ＤＣオフセットを自動的に抑制するための装置としては、ベースバンド信号のＤＣオフセット量を監視し、その値を負帰還する方法が考えられるが、単純に負帰還すれば無変調波出力時のベースバンド信号レベルも除去することになるため、この発明は、ベースバンド信号のＤＣオフセット量を監視すると共に、ＡＣレベルも監視し、ＡＣレベルが所定値を超えた時に、その時点のＤＣオフセット量を負帰還するようにしたものである。
ＡＣレベルが所定値に達しない場合は、変調器から無変調波が出力されるものと判断し、直前に変調波が出力された時のＤＣオフセット量のみを負帰還し、無変調波のＤＣレベルを除去しないようにしたものである。
【００１２】
また、ＡＣレベル監視器から出力されるＡＣレベル情報を、ＡＣレベルが所定値を超えた時にＡＣレベル調整器に帰還することにより、高い精度でＡＣレベルの制御を行なうことができるものである。
【００１３】
【発明の実施の形態】
実施の形態１．
以下、この発明の実施の形態１を図にもとづいて説明する。図１は、実施の形態１の構成を示すブロック図で、帯域制限されたＩチャンネル及びＱチャンネルの２系列のベースバンド信号を処理するものである。この図において、１は各系列に設けられたＡＣレベル調整器で、予め定められた利得を持つ増幅器で構成され、信号を適度な振幅に調整するものである。２は各系列においてＡＣレベル調整器と直列的に接続されたＤＣオフセット調整器で、制御入力端子２Ａを有し、制御入力にもとづいてＤＣオフセットを抑制、制御するものである。３は変調器で、ベースバンド信号にもとづいて変調波あるいは無変調波を出力するものである。４はＡＣレベル監視器で、ベースバンド信号のＡＣレベルを常時監視し、ＡＣレベルが所定のしきい値を超えている時は、変調器３から変調波が出力されているものと判断し、ＡＣレベルが所定のしきい値に達しない時は、変調器３が無変調状態であると判断する。ＡＣレベル監視器４は、また、判断結果に応じた信号５を発生し、後述するＤＣレベル監視器に通知する。
【００１４】
６はＤＣレベル監視器で、べースバンド信号処理装置の出力のＤＣオフセットレベルを常時監視すると共に、上記ＡＣレベル監視器の判断結果に応じた信号５を受け、信号５が、変調波が出力されていることを知らせている時は、その時点におけるＤＣオフセットレベルを制御信号７としてＤＣオフセット調整器２の制御入力端子２Ａに帰還し、信号５が無変調状態であることを知らせている時は、直前の変調波出力状態におけるＤＣオフセットレベルを制御信号７としてＤＣオフセット調整器２の制御入力端子２Ａに帰還するようにされている。
ＤＣオフセット調整器２はＤＣレベル監視器６から帰還されたＤＣオフセットレベルにもとづいてＤＣオフセットの制御を行なう。
【００１５】
実施の形態２．
次に、この発明の実施の形態２を図にもとづいて説明する。図２は、実施の形態２の構成を示すブロック図である。この図において、図１と同一または相当部分には同一符号を付して説明を省略する。図１と異なる点は、ＤＣレベル監視器を備えていない点及びＡＣレベル監視器４が実施の形態１と同様に、変調波出力状態及び無変調状態の判断をすると共に、変調波出力状態と判断した時は、その時点におけるＡＣレベルを制御信号８としてＡＣレベル調整器１の制御入力端子１Ａに帰還し、無変調状態と判断した時は、直前の変調波出力状態におけるＡＣレベルを制御信号８としてＡＣレベル調整器１の制御入力端子１Ａに帰還するようにされている点である。
ＡＣレベル調整器１は、制御信号８にもとづいてＡＣレベルの調整を行なう。なお、ＤＣオフセット調整器２は予め定められたＤＣオフセット量を抑制する機能を有する。
【００１６】
実施の形態３．
次に、この発明の実施の形態３を図にもとづいて説明する。図３は、実施の形態３の構成を示すブロック図である。この図において、図１と同一または相当部分には同一符号を付して説明を省略する。図１と異なる点は、ＡＣレベル監視器４が３つの機能を有する点である。即ち、第１は、実施の形態１と同様に、変調波出力状態と無変調状態の判断をする機能、第２は、これも実施の形態１と同様に、判断結果に応じた信号５をＤＣレベル監視器６に通知する機能、第３は、実施の形態２と同様に、変調波出力状態と判断した時は、その時点におけるＡＣレベルを制御信号８としてＡＣレベル調整器１の制御入力端子１Ａに帰還し、無変調状態と判断した時は、直前の変調波出力状態におけるＡＣレベルを制御信号８としてＡＣレベル調整器１の制御入力端子１Ａに帰還する機能である。
【００１７】
実施の形態３は、以上のように構成されているため、ＤＣレベル監視器６でベースバンド処理装置の出力のＤＣオフセットレベルを常時監視し，変調波出力状態と判断した時は、その時点におけるＤＣオフセットレベルをＤＣオフセット調整器２の制御入力端子２Ａに帰還し、無変調状態と判断した時は、直前の変調波出力状態におけるＤＣオフセットレベルをＤＣオフセット調整器２の制御入力端子２Ａに帰還する。この帰還信号にもとづいてＤＣオフセット調整器２は、ＤＣオフセットのレベル調整を行なう。一方、ＡＣレベル調整器１は、ＡＣレベル監視器４から帰還されたＡＣレベルにもとづいてＡＣレベルの調整を行なうものである。
【００１８】
【発明の効果】
この発明は、以上説明したように構成されているため、以下に示すような効果を有する。
【００１９】
ベースバンド信号のＡＣレベルを常時監視し、変調波出力状態におけるＤＣレベルをＤＣオフセット調整器に帰還させるようにしたため、高精度なＤＣオフセット調整を行なうことができ、また、同様に、変調波出力状態におけるＡＣレベルをＡＣレベル調整器に帰還させるようにしたため、高精度なＡＣレベル調整を行なうことができる。
【００２０】
更に、ベースバンド信号のＡＣレベルを常時監視し、無変調状態におけるＤＣレベルを帰還させないようにしているため、変調器からの無変調波出力が可能となる。即ち、無変調状態ではベースバンド信号に交流成分がなく、直流成分のみであることから、ＤＣレベルを帰還させると上記直流成分が除去されて変調器出力は無出力となるが、上述のようにＤＣレベルを帰還させないようにすれば直流成分が変調器出力となる。なお、ＤＣオフセット調整器は通常、オペアンプを用いた減算回路が用いられ、入力制御量に応じたＤＣレベルを信号から差し引く形で制御されるものである。
【００２１】
また、無変調状態におけるＡＣレベルを帰還させないようにしているため、無変調状態における雑音レベルを増幅させないようにすることができる。即ち、ＡＣレベルを帰還させると交流成分が常に一定の大きさに保持されるが、無変調状態では上述のように交流成分がないため、ＡＣレベルの帰還によって保持されるのは信号以外の雑音となり、これが一定レベルまで増幅されることになる。しかし、ＡＣレベルを帰還させないようにすれば、上記の雑音レベルの増幅がなくなることになる。なお、ＡＣレベル調整器は通常の可変利得アンプもしくは可変アッテネータが用いられ、外部からの制御量に応じて利得もしくは減衰量を変化させる形で制御されるものである。
【図面の簡単な説明】
【図１】この発明の実施の形態１の構成を示すブロック図である。
【図２】この発明の実施の形態２の構成を示すブロック図である。
【図３】この発明の実施の形態３の構成を示すブロック図である。
【図４】従来の変調器のべースバンド信号処理装置を示すブロック図である。
【符号の説明】
１  ＡＣレベル調整器、  １Ａ，２Ａ  制御入力端子、  ２  ＤＣオフセット調整器、  ３  変調器、  ４  ＡＣレベル監視器、  ５  判断結果に応じた信号、  ６  ＤＣレベル監視器、  ７，８  制御信号。
【図１】
0003556153.tif 000002
【図２】
0003556153.tif 000003
【図３】
0003556153.tif 000004
【図４】
0003556153.tif 000005